【手続補正書】
【提出日】平成30年2月27日(2018.2.27)
【手続補正１】
【補正対象書類名】特許請求の範囲
【補正対象項目名】全文
【補正方法】変更
【補正の内容】
【特許請求の範囲】
【請求項１】
Ｈｉｇｈ  Ｅｆｆｉｃｉｅｎｃｙ  Ｖｉｄｅｏ  Ｃｏｄｉｎｇ（ＨＥＶＣ）規格またはＨＥＶＣ規格の拡張にしたがってビデオデータを復号する方法であって、
単一の時間インスタンスに対応する複数のピクチャを有する１つまたは複数のアクセスユニットを含む、ビデオデータのマルチレイヤビットストリームの１つまたは複数の非ビデオコーディングレイヤ（ＶＣＬ）ネットワーク抽象化レイヤ（ＮＡＬ）ユニットを復号することと、ここにおいて、前記１つまたは複数の非ＶＣＬ  ＮＡＬユニットは、ＳＥＩペイロードタイプを有するスケーラブルネスティングＳＥＩメッセージを含み、前記スケーラブルネスティングＳＥＩメッセージは、１つまたは複数のＳＥＩメッセージを含む、
前記ＳＥＩペイロードタイプに基づいて、前記スケーラブルネスティングＳＥＩメッセージが適用される前記マルチレイヤビットストリームの１つまたは複数のシンタックス要素の１つまたは複数のシンタックス値を決定することと、ここにおいて、前記１つまたは複数のシンタックス値を決定することが、前記ＳＥＩペイロードタイプがペイロードタイプの第１のセットに含まれることに基づいて、前記スケーラブルネスティングＳＥＩメッセージのｂｉｔｓｔｒｅａｍ＿ｓｕｂｓｅｔ＿ｆｌａｇが０に等しいと決定することを備え、０に等しいｂｉｔｓｔｒｅａｍ＿ｓｕｂｓｅｔ＿ｆｌａｇは、前記スケーラブルネスティングＳＥＩメッセージに含まれる前記１つまたは複数のＳＥＩメッセージが特定のレイヤまたはサブレイヤに適用されることを指定し、１に等しいｂｉｔｓｔｒｅａｍ＿ｓｕｂｓｅｔ＿ｆｌａｇは、前記スケーラブルネスティングＳＥＩメッセージに含まれる前記１つまたは複数のＳＥＩメッセージがサブビットストリーム抽出処理から生じる１つまたは複数のサブビットストリームに適用されることを指定する、
を備える、方法。
【請求項２】
Ｈｉｇｈ  Ｅｆｆｉｃｉｅｎｃｙ  Ｖｉｄｅｏ  Ｃｏｄｉｎｇ（ＨＥＶＣ）規格またはＨＥＶＣ規格の拡張にしたがってビデオデータを符号化する方法であって、
単一の時間インスタンスに対応する複数のピクチャを有する１つまたは複数のアクセスユニットを含む、ビデオデータのマルチレイヤビットストリームの１つまたは複数の非ビデオコーディングレイヤ（ＶＣＬ）ネットワーク抽象化レイヤ（ＮＡＬ）ユニットを符号化することと、ここにおいて、前記１つまたは複数の非ＶＣＬ  ＮＡＬユニットは、ＳＥＩペイロードタイプを有するスケーラブルネスティングＳＥＩメッセージを含み、前記スケーラブルネスティングＳＥＩメッセージは、１つまたは複数のＳＥＩメッセージを含む、
前記ＳＥＩペイロードタイプに基づいて、前記スケーラブルネスティングＳＥＩメッセージが適用される前記マルチレイヤビットストリームの１つまたは複数のシンタックス要素の１つまたは複数のシンタックス値を決定することと、ここにおいて、前記１つまたは複数のシンタックス値を決定することが、前記ＳＥＩペイロードタイプがペイロードタイプの第１のセットに含まれることに基づいて、前記スケーラブルネスティングＳＥＩメッセージのｂｉｔｓｔｒｅａｍ＿ｓｕｂｓｅｔ＿ｆｌａｇが０に等しいと決定することを備え、０に等しいｂｉｔｓｔｒｅａｍ＿ｓｕｂｓｅｔ＿ｆｌａｇは、前記スケーラブルネスティングＳＥＩメッセージに含まれる前記１つまたは複数のＳＥＩメッセージが特定のレイヤまたはサブレイヤに適用されることを指定し、１に等しいｂｉｔｓｔｒｅａｍ＿ｓｕｂｓｅｔ＿ｆｌａｇは、前記スケーラブルネスティングＳＥＩメッセージに含まれる前記１つまたは複数のＳＥＩメッセージがサブビットストリーム抽出処理から生じる１つまたは複数のサブビットストリームに適用されることを指定する、
を備える、方法。
【請求項３】
ペイロードタイプの前記第１のセットが、ペイロードタイプ２、３、６、９、１５、１６、１７、１９、２２、２３、４５、４７、１２８、１３１、１３２、および１３４を含む、請求項１または請求項２に記載の方法。
【請求項４】
前記１つまたは複数のシンタックス値を決定することが、前記ＳＥＩペイロードタイプがペイロードタイプの前記第１のセットに含まれていることに基づいて、前記スケーラブルネスティングＳＥＩメッセージを含む前記１つまたは複数の非ＶＣＬ  ＮＡＬユニットが、０に等しいＴｅｍｐｏｒａｌＩｄと、ｉのすべての値に対するＴｅｍｐｏｒａｌＩｄの最大の値に等しいｍａｘＴｅｍｐｏｒａｌＩｄ［ｉ］とを有すると決定することをさらに備える、請求項１または請求項２に記載の方法。
【請求項５】
前記マルチレイヤビットストリームの前記ｂｉｔｓｔｒｅａｍ＿ｓｕｂｓｅｔ＿ｆｌａｇシンタックス要素を符号化または復号することと、
前記ｂｉｔｓｔｒｅａｍ＿ｓｕｂｓｅｔ＿ｆｌａｇが１に等しいことと、両端を含めて０から前記ＳＥＩメッセージを含む前記非ＶＣＬ  ＮＡＬユニットのレイヤ識別子の範囲にあるレイヤ識別子を含む前記マルチレイヤビットストリームのビデオパラメータセット（ＶＰＳ）によって指定されるレイヤセットがないこととに基づいて、前記マルチレイヤビットストリームのｄｅｆａｕｌｔ＿ｏｐ＿ｆｌａｇシンタックス要素の値が０の値であると決定することと
をさらに備える、請求項１または請求項２に記載の方法。
【請求項６】
前記マルチレイヤビットストリームのｎｅｓｔｉｎｇ＿ｏｐ＿ｆｌａｇと前記マルチレイヤビットストリームのａｌｌ＿ｌａｙｅｒｓ＿ｆｌａｇとを符号化または復号することと、
前記ｎｅｓｔｉｎｇ＿ｏｐ＿ｆｌａｇが０という値を有することと前記ａｌｌ＿ｌａｙｅｒｓ＿ｆｌａｇが１という値を有することとに基づいて、前記マルチレイヤビットストリームのｍａｘＴｅｍｐｏｒａｌＩｄ［０］シンタックス要素の値がＴｅｍｐｏｒａｌＩｄの最大の値に等しいと決定することと
をさらに備える、請求項１または請求項２に記載の方法。
【請求項７】
前記マルチレイヤビットストリームのｂｉｔｓｔｒｅａｍ＿ｓｕｂｓｅｔ＿ｆｌａｇシンタックス要素と前記マルチレイヤビットストリームのｎｅｓｔｉｎｇ＿ｏｐ＿ｆｌａｇシンタックス要素とを符号化または復号することと、
前記ｂｉｔｓｔｒｅａｍ＿ｓｕｂｓｅｔ＿ｆｌａｇシンタックス要素が１という値を有することと、前記ｎｅｓｔｉｎｇ＿ｏｐ＿ｆｌａｇシンタックス要素が０という値を有することとに基づいて、前記マルチレイヤビットストリームのｎｅｓｔｉｎｇＬａｙｅｒＩｄＬｉｓｔ［０］が前記マルチレイヤビットストリームのＶＰＳにおいて指定されるレイヤセットのレイヤ識別子の値だけを含むと決定することと
をさらに備える、請求項１または請求項２に記載の方法。
【請求項８】
予測データとビデオデータとの差を示す、前記マルチレイヤビットストリームのレイヤの前記ビデオデータための残差データを生成することと、
前記残差データザジェネレート変換係数に変換を適用することと、
前記変換係数の指示を含むビットストリームを生成することと
をさらに備える、請求項２に記載の方法。
【請求項９】
符号化されたビットストリームから前記マルチレイヤビットストリームのレイヤのビデオデータのための変換係数を取得することと、
残差データを生成するために逆変換を前記変換係数に適用することと、
前記生成された残差データに基づいて前記ビデオデータを決定することと
をさらに備える、請求項１に記載の方法。
【請求項１０】
Ｈｉｇｈ  Ｅｆｆｉｃｉｅｎｃｙ  Ｖｉｄｅｏ  Ｃｏｄｉｎｇ（ＨＥＶＣ）規格またはＨＥＶＣ規格の拡張にしたがってビデオデータをコーディングするための装置であって、
単一の時間インスタンスに対応する複数のピクチャを有する１つまたは複数のアクセスユニットを含む、ビデオデータのマルチレイヤビットストリームの１つまたは複数の非ビデオコーディングレイヤ（ＶＣＬ）ネットワーク抽象化レイヤ（ＮＡＬ）ユニットをコーディングするための手段と、ここにおいて、前記１つまたは複数の非ＶＣＬ  ＮＡＬユニットは、ＳＥＩペイロードタイプを有するスケーラブルネスティングＳＥＩメッセージを含み、前記スケーラブルネスティングＳＥＩメッセージは、１つまたは複数のＳＥＩメッセージを含む、
前記ＳＥＩペイロードタイプに基づいて、前記スケーラブルネスティングＳＥＩメッセージが適用される前記マルチレイヤビットストリームの１つまたは複数のシンタックス要素の１つまたは複数のシンタックス値を決定するための手段と、ここにおいて、前記１つまたは複数のシンタックス値を決定することが、前記ＳＥＩペイロードタイプがペイロードタイプの第１のセットに含まれることに基づいて、前記スケーラブルネスティングＳＥＩメッセージのｂｉｔｓｔｒｅａｍ＿ｓｕｂｓｅｔ＿ｆｌａｇが０に等しいと決定することを備え、０に等しいｂｉｔｓｔｒｅａｍ＿ｓｕｂｓｅｔ＿ｆｌａｇは、前記スケーラブルネスティングＳＥＩメッセージに含まれる前記１つまたは複数のＳＥＩメッセージが特定のレイヤまたはサブレイヤに適用されることを指定し、１に等しいｂｉｔｓｔｒｅａｍ＿ｓｕｂｓｅｔ＿ｆｌａｇは、前記スケーラブルネスティングＳＥＩメッセージに含まれる前記１つまたは複数のＳＥＩメッセージがサブビットストリーム抽出処理から生じる１つまたは複数のサブビットストリームに適用されることを指定する、
を備える、装置。
【請求項１１】
ペイロードタイプの前記第１のセットが、ペイロードタイプ２、３、６、９、１５、１６、１７、１９、２２、２３、４５、４７、１２８、１３１、１３２、および１３４を含む、請求項１０に記載の装置。
【請求項１２】
前記１つまたは複数のシンタックス値を決定するための前記手段が、前記ＳＥＩペイロードタイプがペイロードタイプの第１のセットに含まれていることに基づいて、前記スケーラブルネスティングＳＥＩメッセージを含む前記１つまたは複数の非ＶＣＬ  ＮＡＬユニットが、０に等しいＴｅｍｐｏｒａｌＩｄと、ｉのすべての値に対するＴｅｍｐｏｒａｌＩｄの最大の値に等しいｍａｘＴｅｍｐｏｒａｌＩｄ［ｉ］とを有すると決定するための手段を備える、請求項１０に記載の装置。
【請求項１３】
前記装置が、
集積回路、
マイクロプロセッサ、または
ワイヤレス通信デバイス
の少なくとも１つを備える、請求項１３に記載の装置。
【請求項１４】
実行されると、１つまたは複数のプロセッサに、請求項１〜９のいずれか一項に記載の方法を行わせる、命令を記憶した非一時的コンピュータ可読媒体。